Podtech/llm-jp-corpus-v4-ja_patent huggingface dataset:
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
無毒食品または医薬品原材料を産生する方法であって、該原材料を予め確立された細菌負荷のプロバイオティクス細菌株と接触させて置く第一工程および該プロバイオティクス細菌株に対して該原材料が発揮する毒性による該細菌負荷の減少を決定する第二工程を含む、方法。
【請求項２】
該第一工程が
− 予め確立された濃度、好ましくは１×１０６〜１×１０９CFU／ｇに入る濃度のプロバイオティクス細菌株マーカー、該プロバイオティクス細菌株の増殖用の最適培養基質および試験する食品または医薬品原材料を含む第一試験サンプルおよび
− 該第一サンプルと同じ予め確立された濃度の同じプロバイオティクス細菌株および該プロバイオティクス細菌株の増殖用の最適培養基質を含む第二試験サンプル(内部標準)
の調製を含む、請求項１に記載の方法。
【請求項３】
該第二工程が該第一および該第二試験サンプルの細菌数計数の実施を含む、請求項１に記載の方法。
【請求項４】
該細菌数計数を、初期サンプルを再懸濁する工程、適当な希釈剤での連続希釈を製造する工程、寒天培地に播種する工程および最適条件下でインキュベーション後にコロニーを計数する工程を含む方法により実施する、請求項３に記載の方法。
【請求項５】
該第一試験サンプルの細菌数(プレート上で数えられた細胞の数)対該第二試験サンプル(内部標準)の細菌数(プレート上で数えられた細胞の数)の比を決定する、請求項４に記載の方法。
【請求項６】
プロバイオティクス細菌に対する毒性のマーカーとして使用するプロバイオティクス細菌株をラクトバチルス属およびビフィドバクテリウム属から選択する、請求項１〜５のいずれかに記載の方法。
【請求項７】
該食品または医薬品原材料が香味料、抽出物、有機および／または無機起源の補助剤、科学技術添加物、ビタミン類、タンパク質、アミノ酸類、ペプトン類、天然および／または合成ポリマー類およびその他からなる群から選択される、請求項１〜６のいずれかに記載の方法。
【請求項８】
請求項１〜７のいずれかに記載の無毒食品または医薬品原材料の製造方法を使用して、選択したプロバイオティクス細菌に対して毒性がない原材料を含む、食品または栄養補助食品または医療用品または医薬製品を製造する方法。
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
抗体Ｆｃ領域を含むポリペプチドであって、前記Ｆｃ領域が、ヒンジ領域の１つ又は複数のシステインの欠失又は置換及び１つ又は複数のＣＨ３界面アミノ酸のスルフヒドリル含有残基による置換を含み、前記ポリペプチドはＴ３９４及び／又は残基Ｙ４０７におけるスルフヒドリル含有残基の置換を有する、前記ポリペプチド。
【請求項２】
前記Ｆｃが前記ヒンジ領域のシステイン含有部分を欠く、請求項１に記載のポリペプチド。
【請求項３】
前記Ｆｃが前記ヒンジ領域を欠く、請求項２に記載のポリペプチド。
【請求項４】
前記ヒンジ領域内のすべてのシステインが別のアミノ酸により置換されている、請求項１に記載のポリペプチド。
【請求項５】
スルフヒドリル含有残基により置換したＣＨ３界面アミノ酸がＹ３４９、Ｌ３５１、Ｓ３５４、Ｔ３９４又はＹ４０７である、請求項１〜４のいずれか一項に記載のポリペプチド。
【請求項６】
Ｙ３４９がシステインにより置換されている（Ｙ３４９Ｃ）、請求項５に記載のポリペプチド。
【請求項７】
Ｌ３５１がシステインにより置換されている（Ｌ３５１Ｃ）、請求項５に記載のポリペプチド。
【請求項８】
Ｓ３５４がシステインにより置換されている（Ｓ３５４Ｃ）、請求項５に記載のポリペプチド。
【請求項９】
Ｔ３９４がシステインにより置換されている（Ｔ３９４Ｃ）、請求項５に記載のポリペプチド。
【請求項１０】
Ｙ４０７がシステインにより置換されている（Ｙ４０７Ｃ）、請求項５に記載のポリペプチド。
【請求項１１】
前記Ｆｃが、１つ又は複数のアミノ酸置換を含むＣＨ２領域を含む、請求項１〜１０のいずれか一項に記載のポリペプチド。
【請求項１２】
前記ＣＨ３領域が、１つ又は複数の更なるアミノ酸置換を更に含む、請求項１〜１１のいずれか一項に記載のポリペプチド。
【請求項１３】
前記ＦｃのＣ末端の１つ又は複数のアミノ酸が欠失している、請求項１〜１２のいずれか一項に記載のポリペプチド。
【請求項１４】
前記ＦｃのＣ末端の３つ、２つ又は１つのアミノ酸が欠失している、請求項１３に記載のポリペプチド。
【請求項１５】
前記ＦｃのＣ末端の末端アミノ酸が欠失している、請求項１４に記載のポリペプチド。
【請求項１６】
抗体重鎖を含む、請求項１〜１５のいずれか一項に記載のポリペプチド。
【請求項１７】
Ｆｃ融合タンパク質を含む、請求項１〜１５のいずれか一項に記載のポリペプチド。
【請求項１８】
請求項１〜１７のいずれか一項に記載のポリペプチドをコードする核酸。
【請求項１９】
プロモーターに作動可能に連結した請求項１８に記載の核酸を含む発現ベクター。
【請求項２０】
請求項１９に記載の発現ベクターを含む、宿主細胞。
【請求項２１】
ａ）請求項２０に記載の宿主細胞を、前記プロモーターが前記宿主細胞中で活性となる条件下で培養すること、及び
ｂ）前記培養物からポリペプチドを単離すること
を含む、ポリペプチドを作製するための方法。
【請求項２２】
請求項１〜１７のいずれか一項に記載のポリペプチドを含む、医薬組成物。
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
アレイトランスデューサと、
前記アレイトランスデューサに結合され、当該アレイトランスデューサによる超音波送信を制御する送信コントローラと、を含む超音波発作治療システムであって、
前記アレイトランスデューサは、中／高音圧レベルの超音波又は低音圧レベルの超音波による超音波照射を選択的に発生させ、
前記送信コントローラは、前記アレイトランスデューサに、第１の治療期間中、中／高音圧の超音波を閉塞位置に向けさせ、第２の再潅流促進期間中、低音圧レベルの超音波を前記閉塞位置の周辺領域に向けさせ、
共に血管音響共振子（ＶＡＲ）の存在下で、前記中／高音圧レベルの超音波照射は血栓溶解を促し、前記低音圧レベルの超音波照射は前記閉塞位置の周辺組織の微小血管再潅流を促すことを特徴とする、超音波発作治療システム。
【請求項２】
前記送信コントローラは、異なる位置に位置される順次のパルスに従って、低音圧レベルの超音波を前記閉塞位置の前記周辺領域の周囲に進める、請求項１に記載の超音波発作治療システム。
【請求項３】
前記送信コントローラは、中／高音圧レベル又は低音圧レベルの超音波照射を同時に又は時間インターリーブシーケンスで発生させる、請求項１に記載の超音波発作治療システム。
【請求項４】
前記送信コントローラは、前記閉塞位置の前記周辺組織の全領域にわたって低音圧レベルの超音波照射を発生させる、請求項３に記載の超音波発作治療システム。
【請求項５】
前記送信コントローラは、前記閉塞位置の前記周辺組織にわたって異なる方向に低音圧ビームを順次送信することによって低音圧レベルの超音波照射を発生させる、請求項３に記載の超音波発作治療システム。
【請求項６】
前記送信コントローラは、前記閉塞位置の近傍の異なる方向に中／高音圧ビームを順次送信することによって中／高音圧の超音波照射を発生させる、請求項５に記載の超音波発作治療システム。
【請求項７】
前記送信コントローラは、治療領域におけるＶＡＲ補給を可能にするために、第３の期間中、中／高及び低音圧治療の超音波照射を中断する、請求項１に記載の超音波発作治療システム。
【請求項８】
前記送信コントローラは、前記第３の期間中に診断イメージングを実行する、
請求項７に記載の超音波発作治療システム。
【請求項９】
前記送信コントローラは、１ＭＨｚの周波数で動作して、生体内で１４０ｋＰａより高い中／高圧力の超音波照射を発生させ、生体内で１４０ｋＰａ以下の低レベル圧力の超音波照射を発生させる、請求項１に記載の超音波発作治療システム。
【請求項１０】
前記ＶＡＲは、ガス充填マイクロベシクルを含む、請求項１に記載の超音波発作治療システム。
【請求項１１】
前記超音波発作治療システムは、前記アレイトランスデューサを含む同側アレイトランスデューサプローブを含み、前記アレイトランスデューサは、中／高圧レベルの超音波照射を発生させ、前記同側アレイトランスデューサプローブは、患者の頭部の片側から閉塞位置に治療ビームを向けるように前記アレイトランスデューサを配置し、前記超音波発作治療システムは、さらに、低圧レベルの超音波照射を発生させる第２のアレイトランスデューサを含む対側トランスデューサプローブを含み、前記対側トランスデューサプローブは、前記患者の頭部の反対側から反対方向の音響放射力を向けるように前記第２のアレイトランスデューサを配置する、請求項１に記載の超音波発作治療システム。
【請求項１２】
前記送信コントローラは、５〜５０ミリ秒間のパルス幅にわたって中／高音圧レベルの超音波を向けさせる、請求項１に記載の超音波発作治療システム。
【請求項１３】
前記送信コントローラは、前記中／高音圧レベルの超音波が向けられる前記閉塞位置の周囲の領域の円形又は非円形の超音波照射パターン内の前記閉塞位置の前記周辺領域の周囲に、前記低音圧レベルの超音波を進める、請求項１に記載の超音波発作治療システム。
【請求項１４】
前記送信コントローラは、異なる位置に位置される順次のパルスに従って、前記中／高音圧レベルの超音波を前記閉塞位置に進める、請求項１に記載の超音波発作治療システム。
【請求項１５】
前記送信コントローラは、前記中／高音圧レベル及び前記低圧レベルの超音波の焦点合わせされたパルスを向けさせ、前記焦点合わせされたパルスは直径約３ｍｍを持つ、請求項１に記載の超音波発作治療システム。
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
被験者の脳の電磁気的活動を測定するためのセンサアッセンブリで、以下からなる：
第１および第２の側部を有する支持板；
前記被験者の頭皮に向かって配向可能の支持板の第１の側部から引き出した複数の電極で、前記電極は、離間した配列に配置され、複数の電極の１つは、基準電極を備え；
複数の増幅器は、支持板の第２の側部に配置され、複数の増幅器の各々の増幅器は、脳の電界の活動を示す電極の結合した電極から信号を受信するように複数の電極の１つと結合され；
増幅器から信号を受信するために、増幅器と連通したマイクロコントローラで、前記マイクロコントローラは、前記被験体の脳の電磁気的活動によって発生された電界を示す信号の重量平均を決定するように作動するプロセッサを含む。
【請求項２】
前記マイクロコントローラが、基準電極との距離の成分を乗じた基準電極に対して、それぞれの活性電極から電位信号の和から求められた加重平均値を決定するために、動作可能であり、前記総和は、さらに距離成分の二乗のさらに総和で割った値である、請求項１に記載のセンサアセンブリ。
【請求項３】
前記マイクロコントローラは、電極数によって除された各電極からの電位信号の和から求められた加重平均を決定するためにさらに動作可能である、請求項１に記載のセンサアセンブリ。
【請求項４】
前記マイクロコントローラは、前記和が電極の配置の中心までの距離の成分を乗じた基準電極に対して各電極の電位の差の合計から求められた加重平均値を決定するための動作をさらに可能にし、前記総和は、配置の中心までの距離の４乗によって除した、請求項１に記載のセンサアセンブリ。
【請求項５】
前記マイクロコントローラは、前記電位のより高次の導関数を決定するためにさらに動作可能である、請求項１に記載のセンサアセンブリ。
【請求項６】
前記複数の電極は、１ｃｍ以下、または４ｍｍ以下、または３ｍｍ以下の距離を開けて配置されている、請求項１に記載のセンサアセンブリ。
【請求項７】
前記複数の電極は、少なくとも０．３個電極／ｃｍ２の密度で配置されている、請求項１に記載のセンサアセンブリ。
【請求項８】
前記複数の電極の各々は、導電性ピンを備える、請求項１に記載のセンサアセンブリ。
【請求項９】
さらにセンサアッセンブリを備え、前記センサアッセンブリが被験者の頭に載せるためのヘッドバンドで形成されている、請求項１に記載のセンサアセンブリ。
【請求項１０】
複数の増幅器の各々は、その結合された電極および基準電極と電気的に連通している、請求項１に記載のセンサアセンブリ。
【請求項１１】
各増幅器は、デジタル変換器の各類似体と電気的に連通しており、各アナログ−デジタル変換器は、マイクロコントローラのプロセッサと電気的に連通している、請求項１に記載のセンサアセンブリ。
【請求項１２】
被験体の脳の電磁活性を測定するための方法で、以下からなる：
頭皮上の配置で複数の電極を配置し、電極の各々は、複数の電極の一方は参照電極を含む、結合された増幅器と電気的に連通しており；
複数の電極の活性電極、および参照電極間の電位差を測定し；
電位差の加重平均を決定し、当該加重平均は、脳の電気的活動を表す。
【請求項１３】
前記マイクロコントローラは、電極数で除された、各電極からの電位信号の和から求められた加重平均を決定するために、さらに動作可能である、請求項１２の方法。
【請求項１４】
前記加重平均を決定するためのステップは、前記総和が電極の配置の中心までの距離の成分を乗じた参照電極に対して各電極の電位の差の合計から求められた加重平均値を決定するための動作をさらに可能にし、前記総和は、配置の中心までの距離の４乗の総和によって除して得た、請求項１２の方法。
【請求項１５】
前記被験体の電磁脳活動の画像を作成することをさらに備える、請求項１２の方法。
【請求項１６】
外部デバイスに対する前記脳の電気的活動を示す信号を無線で送信するステップをさらに備える、請求項１２の方法。
【請求項１７】
前記参照電極は、複数の電極のうちの第１の参照電極であり、；
複数の電極から離れて隔離されてさらに参照電極を定義し；
前記測定のステップは、複数の電極の活性電極と、第１の参照電極間の電位差を測定することと、複数の電極の各々と、さらに別の電極間の電位差を測定することの切り替えをするものであり；および
電位差の加重平均と電位の加重平均を決定し、前記加重平均は、脳の電気的活動を示す、請求項１２の方法
【請求項１８】
前記電位のより高次の導関数を決定するステップをさらに備える、請求項１７の方法。
【請求項１９】
被験体が神経状態を病んでいる場合の請求項１２の方法。
【請求項２０】
前記被験体が、アルツハイマー症、パーキンソン症、筋萎縮性側索硬化症、脳卒中、外傷性脳損傷、自閉症、うつ病、またはてんかんを罹患している請求項１９の方法。
【請求項２１】
正常な被験体の脳活動と前記被験体の脳活動を比較するステップをさらに含む、請求項１９の方法。
【請求項２２】
被験体の医療用人体エリアネットワークを提供するためのシステムで、以下からなる：
被験者の脳の電磁的活性を測定するための１つまたはそれ以上のセンサアセンブリで、各センサアセンブリは、請求項１に記載のセンサアセンブリを含み；
被験者の生理学的パラメータをモニタリングするための、１つまたはそれ以上のセンサアセンブリから離れた、１つまたは複数の追加のセンサ；および
１つまたは複数のセンサアセンブリから遠隔されたプロセッサで、１つまたは複数のセンサアセンブリと、１つまたは複数の追加のセンサからのデータを受信するように動作し、前記データを同期する。
【請求項２３】
１つまたは複数の追加のセンサは、ＧＰＳデバイス、加速度計、ジャイロスコープ、磁力計、マイク、およびカメラの中の少なくとも１つからなる、請求項２２の方法。
【請求項２４】
多種の活動の一つを表すセンサ解読のデータベースをさらに備え、
前記多種の活動は、テレビ視聴、座ること、食すこと、歩くこと、または運動することを含む、請求項２２のシステム。
【請求項２５】
前記プロセッサが閾値加速度及び方位データに検出された加速度及び方位データを比較し、所定の閾値よりも大きいかまたは小さい、検出されたデータに応答して信号を送信するために、１つまたは複数の追加のセンサからの加速度及び方位データを検出するように動作する、請求項２２のシステム。
【請求項２６】
前記遠隔プロセッサが、各分類が被験者の神経状態を表す、多種の分類の１つへセンサデータをマッピングするように動作する、請求項２２のシステム。
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
駆動部（１２）を有するねじ頭部付きねじ（１０）であって、前記駆動部（１２）は、カム（１４ａ，１４ｂ，１４ｃ）の周りの前記ねじ頭部内に導入された凹部によって形成される前記カム（１４ａ，１４ｂ，１４ｃ）を備え、各カムは、トルクを伝達するために使用される二つの側面（１８ａ，１８ｂ）と、該二つの側面（１８ａ，１８ｂ）を接続する端面（１６ａ，１６ｂ，１６ｃ）と、を備え、該端面（１６ａ，１６ｂ，１６ｃ）は、ねじシャンクから外方に向く前記ねじ頭部の端部上に凹面輪郭を有し、前記端面（１６ａ，１６ｂ，１６ｃ）は、ねじ軸に垂直な平面における前記ねじ軸の周りで、前記平面に関連した半径を有する仮想の円形周辺部（２０ａ，２０ｂ，２０ｃ）が、前記端面（１６ａ，１６ｂ，１６ｃ）との前記カム上の接触点（２２ａ，２２ｂ，２２ｃ）を有し、前記端面（１６ａ，１６ｂ，１６ｃ）の軸方向高さの少なくとも一部分、すなわち、接触領域に亘って、複数のそのような接触点（２２ａ，２２ｂ，２２ｃ）は、形成され、前記接触点（２２ａ，２２ｂ，２２ｃ）は、前記端面（１６ａ，１６ｂ，１６ｃ）の中心に接触線（２４ａ，２４ｂ，２４ｃ）を形成する、駆動部（１２）を有するねじ頭部付きねじ（１０）。
【請求項２】
少なくとも前記接触領域において、前記凹面輪郭の曲率半径は、前記平面に関連した前記仮想の円形周辺部（２０ａ，２０ｂ，２０ｃ）の半径より大きいことを特徴とする、請求項１に記載の駆動部（１２）を有するねじ頭部付きねじ（１０）。
【請求項３】
前記端面（１６ａ，１６ｂ，１６ｃ）は、前記接触線（２４ａ，２４ｂ，２４ｃ）が前記ねじ軸に対してある角度で延びる状態で、前記軸高さの部分における前記仮想の円形周辺部（２０ａ，２０ｂ，２０ｃ）の半径が、前記ねじシャンクの方向に連続的に減少するように、設計されていることを特徴とする、請求項１又は２に記載の駆動部（１２）を有するねじ頭部付きねじ（１０）。
【請求項４】
前記接触線（２４ａ，２４ｂ，２４ｃ）は、円形対称のツールが導入される場合、面圧を生成するために、前記ねじ軸に対して１０度未満の角度で傾斜されていることを特徴とする、請求項１〜３の何れかに記載の駆動部（１２）を有するねじ頭部付きねじ（１０）。
【請求項５】
前記ねじシャンクに面する前記ねじ頭部の端部は、凸面輪郭を有することを特徴とする、請求項１〜４の何れかに記載の駆動部（１２）を有するねじ頭部付きねじ（１０）。
【請求項６】
前記凸面輪郭から前記凹面輪郭への移行は、自由曲面であることを特徴とする、請求項５に記載の駆動部（１２）を有するねじ頭部付きねじ（１０）。
【請求項７】
記凹面輪郭及び前記凸面輪郭が交差する端から側面への移行は、前記ねじ軸に平行に延びることを特徴とする、請求項５又は６に記載の駆動部（１２）を有するねじ頭部付きねじ（１０）。
【請求項８】
三つのカム（１４ａ，１４ｂ，１４ｃ）は、それぞれが、関連した平面において、前記カム（１４ａ，１４ｂ，１４ｃ）の側面（１８ａ，１８ｂ）上に接触点を有するように設けられていることを特徴とする、請求項１〜７の何れかに記載の駆動部（１２）を有するねじ頭部付きねじ（１０）。
【請求項９】
駆動ツールは、基体から外側への径方向拡張において、その上に形成される一体式の同期要素を有する基体を備え、前記基体は、ねじを駆動するための先端が前記ねじ内に導入される、少なくともその係合領域において、前記先端に向けて先細となる円錐部を形成することを特徴とする、請求項１〜８の何れかに記載のねじ（１０）を導入するための駆動ツール（５０）。
【請求項１０】
コーンの側域は、前記ねじ軸に対して０度と約１０度との間の角度で傾斜されていることを特徴とする、請求項９に記載の駆動ツール（５０）。
【請求項１１】
前記同期要素は、円弧状設計であることを特徴とする、請求項９又は１０に記載の駆動ツール（５０）。
【請求項１２】
前記同期要素は、前記ねじ軸に対して同期要素角度を画定する側面を有し、前記角度は、二つの隣接する側面間の角度、すなわち、距離角度より大きいことを特徴とする、請求項１１に記載の駆動ツール（５０）。
【請求項１３】
前記同期要素の外側寸法は、円筒形状に広がることを特徴とする、請求項９〜１２の何れかに記載の駆動ツール（５０）。
【請求項１４】
正確に三つの同期要素が設けられることを特徴とする、請求項９〜１３の何れかに記載の駆動ツール（５０）。
【請求項１５】
前記同期要素は、前記側面から前記外面までの移行領域において丸みを帯びた設計であることを特徴とする、請求項１１〜１４の何れかに記載の駆動ツール（５０）。
【請求項１６】
前記丸みを帯びた設計は、楕円形であることを特徴とする、請求項１５に記載の駆動ツール（５０）。
【請求項１７】
前記同期要素の丸みを帯びたセクションの曲率は、前記ツールに一致するＢ寸法を有するねじの駆動部上の対応する移行領域の曲率より小さいことを特徴とする、請求項１５または１６に記載の駆動ツール（５０）。
【請求項１８】
請求項１〜８の何れかに記載のねじ（１０）及び請求項９〜１７の何れかに記載の駆動ツール（５０）を備える駆動システム。
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
超音波受信機の第１の表面において受信される超音波エネルギーを検出するための前記超音波受信機
を備える装置であって、前記超音波受信機が、基板の上に配置されたピクセル回路のアレイを含み、前記アレイ内の各ピクセル回路が少なくとも１つの薄膜トランジスタ素子を含み、かつ、前記ピクセル回路に電気結合されたピクセル入力電極を有し、前記超音波受信機が、
前記ピクセル入力電極と電気接触するように圧電層を形成するステップ
によって製造され、前記圧電層を形成するステップが、
ポリマーを含んだ溶液をピクセル回路の前記アレイの上にコーティングするステップと、
結晶化したポリマー層を形成するために前記ポリマーを結晶化させるステップと、
前記圧電層を形成するために前記結晶化したポリマー層全体に電界を印加するステップを含む分極処理プロセスを実行するステップと
を含み、
前記圧電層を形成するステップが、ピクセル回路の前記アレイの上に接着促進剤をコーティングするステップを含む、装置。
【請求項２】
前記ピクセル入力電極が導電膜から形成される、請求項１に記載の装置。
【請求項３】
前記ポリマーを含んだ前記溶液をコーティングするステップが、スピンコーティング、スロットコーティング、ディッピング、ディスペンシング、噴霧または別のコーティングプロセスによって実施される、請求項１に記載の装置。
【請求項４】
前記ポリマーが強誘電性ポリマーを含む、請求項１に記載の装置。
【請求項５】
前記圧電層の上に堆積した受信機バイアス電極をさらに含む、請求項１に記載の装置。
【請求項６】
超音波受信機の第１の表面において受信される超音波エネルギーを検出するように構成された前記超音波受信機を製造するための方法であって、前記超音波受信機が、基板の上に配置されたピクセル回路のアレイを含み、前記アレイ内の各ピクセル回路が少なくとも１つの薄膜トランジスタ素子を含み、かつ、前記ピクセル回路に電気結合されたピクセル入力電極を有し、前記方法が、
前記ピクセル入力電極と電気接触するように圧電層を形成するステップ
を含み、前記圧電層を形成するステップが、
ポリマーを含んだ溶液をピクセル回路の前記アレイの上にコーティングするステップと、
結晶化したポリマー層を形成するために前記ポリマーを結晶化させるステップと、
前記圧電層を形成するために前記結晶化したポリマー層全体に電界を印加するステップを含む分極処理プロセスを実行するステップと
を含み、
前記圧電層を形成するステップが、ピクセル回路の前記アレイの上に接着促進剤をコーティングするステップを含む、方法。
【請求項７】
前記ピクセル入力電極が導電膜から形成される、請求項６に記載の方法。
【請求項８】
前記電界が、前記結晶化したポリマー層を通して１マイクロメートル当たり１５０ボルトと２００ボルトとの間の電界強度を有する、請求項６に記載の方法。
【請求項９】
超音波送信機と、
プラテンと、
前記超音波送信機と前記プラテンとの間に配置された超音波受信機と
を備える装置であって、前記超音波受信機が、基板の上に配置されたピクセル回路のアレイを含み、前記アレイ内の各ピクセル回路が薄膜トランジスタ素子を含み、かつ、前記ピクセル回路に電気結合されたピクセル入力電極を有し、前記超音波受信機が、前記プラテンと接触している物体で反射した超音波エネルギーを検出するように構成され、前記反射した超音波エネルギーが、前記超音波送信機によって放出される超音波エネルギーと前記物体との相互作用によるものであり、前記超音波受信機が、ピクセル回路の前記アレイと前記プラテンとの間に配置された圧電層を含み、
前記圧電層が前記ピクセル入力電極と電気接触し、
前記圧電層が、
ポリマーを含んだ溶液をピクセル回路の前記アレイの上にコーティングするステップと、
結晶化したポリマー層を形成するために前記ポリマーを結晶化させるステップと、
前記圧電層を形成するために前記結晶化したポリマーコーティング全体に電界を印加するステップを含む分極処理プロセスを実行するステップと
によって形成され、
前記圧電層を形成することが、ピクセル回路の前記アレイの上に接着促進剤をコーティングすることを含む、装置。
【請求項１０】
圧電層を形成するステップであって、
ポリマーを含んだ溶液を基板の上に配置されたピクセル回路のアレイの上にコーティングするステップであって、前記アレイ内の各ピクセル回路が少なくとも一つの薄膜トランジスタ素子を含み、かつ、前記ピクセル回路に電気結合されたピクセル入力電極を有し、形成される圧電層が前記ピクセル入力電極と電気接触する、ステップ、
結晶化したポリマー層を形成するために前記ポリマーを結晶化させるステップ、及び、
前記圧電層を形成するために前記結晶化したポリマーコーティング全体に電界を印加するステップを含む分極処理プロセスを実行するステップ
によって圧電層を形成するステップであって、前記圧電層を形成するステップが、ピクセル回路の前記アレイの上に接着促進剤をコーティングするステップを含む、ステップと、
超音波送信機とプラテンとの間に超音波受信機を配置するステップであって、前記超音波受信機が、前記プラテンと接触している物体で反射した超音波エネルギーを検出するように構成され、前記反射した超音波エネルギーが、前記超音波送信機によって放出される超音波エネルギーと前記物体との相互作用によるものであり、前記超音波受信機が、前記ピクセル回路のアレイと、前記ピクセル回路のアレイと前記プラテンとの間に配置される前記圧電層とを含む、ステップと
を含む方法。
【請求項１１】
命令を記憶したコンピュータ可読記憶媒体であって、前記命令は、コンピューティングシステムによって実行されると、前記コンピューティングシステムが、請求項６から８及び１０のいずれか一項に記載のステップを実施することになる、コンピュータ可読記憶媒体。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
対象におけるアルツハイマー病又は軽度認知障害を診断する方法であって、該対象に由来する組織サンプル又は体液サンプル中の一群のバイオマーカーを検出することを含み、該一群のバイオマーカーが表2、表3、又は表4から選択される2以上のペプチドを含む、前記方法。
【請求項２】
(a) 前記サンプル中の前記2以上のペプチドの存在が、対象がアルツハイマー病又はMCIを有することを示し；
(b) 前記2以上のペプチドについての参照値と比較した前記サンプル中の前記2以上のペプチドの量（濃度）が、前記対象がアルツハイマー病又はMCIを有することを示し；又は
(c) 前記2以上のペプチドについての参照値と比較した前記2以上のペプチドの量（濃度）の変化が、前記対象がアルツハイマー病又はMCIを有することを示す、請求項1記載の方法。
【請求項３】
対象におけるアルツハイマー病及び軽度認知障害から選択される認知症の形態の診断のための方法であって、
(a) 患者から組織又は身体サンプルを取得すること；
(b) 任意に、該サンプルを処理して、表1から選択される少なくとも1つのマーカータンパク質を増強すること；
(c) 該マーカータンパク質に由来する複数のペプチドを創出するように、該サンプルを酵素トリプシンで処理すること；
(d) 表2、表3、又は表4から選択される2以上のペプチドを含む、一群のバイオマーカーを検出すること；
(e) 該一群のバイオマーカーについての参照値と比較した該一群のバイオマーカーの量（濃度）、存在、非存在、又は変化についての値を決定すること；
(f)該決定された値に基づいて該対象を診断することを含む、前記方法。
【請求項４】
前記参照値が、前記対象から取得された以前のサンプルに由来する、請求項2又は請求項3記載の方法。
【請求項５】
前記参照値が、対象集団に由来する、請求項2又は請求項3記載の方法。
【請求項６】
前記参照値が、アクセス可能なデータベースの形式で事前に定めた値である、請求項2記載の方法。
【請求項７】
前記データベースが、表2、表3、又は表4を含む、請求項6記載の方法。
【請求項８】
前記参照値が、アルツハイマー病とMCI又は正常とを識別する、請求項2〜5のいずれか1項記載の方法。
【請求項９】
前記参照値が、MCIとアルツハイマー病と正常とを識別する、請求項2〜5のいずれか1項記載の方法。
【請求項１０】
前記組織サンプル又は体液サンプルが、尿、血液、血漿、血清、唾液、又は脳脊髄液サンプルである、請求項1〜9のいずれか1項記載の方法。
【請求項１１】
前記バイオマーカーが、前記サンプル中で、特異的抗体、2次元ゲル電気泳動、又は質量分析を用いて検出される、請求項1〜10のいずれか1項記載の方法。
【請求項１２】
前記バイオマーカーが、前記サンプル中で、前記バイオマーカー群の2以上のペプチドに特異的な抗体又はその断片を用いて検出される、請求項1〜11のいずれか1項記載の方法。
【請求項１３】
前記サンプルが、該サンプルを濃縮するために、表1に記載された前記バイオマーカータンパク質の少なくとも1つに特異的な抗体で前処理される、請求項1〜12のいずれか一項記載の方法。
【請求項１４】
前記バイオマーカー群の前記2以上のペプチドが、質量分析により検出される、請求項1〜11のいずれか1項記載の方法。
【請求項１５】
前記2以上のペプチドの量（濃度）を決定する前記工程が、ペプチドに対する1以上の遷移を用いた選択反応モニタリングにより実施され、検査サンプル中のペプチドレベルを、アルツハイマー病患者、又はMCI患者、又は認知症でない患者であると以前に決定されたペプチドレベルと比較する、請求項14記載の方法。
【請求項１６】
ペプチドレベルを比較することが、既知量の対応する合成ペプチドを用いて前記サンプル中のペプチド量を決定することを含み、該合成ペプチドが標識を除いて該サンプルから取得されるペプチドと配列において同一である、請求項15記載の方法。
【請求項１７】
前記標識が、異なる質量の、又は重同位体のタグである、請求項16記載の方法。
【請求項１８】
前記バイオマーカー群が、表2、表3、又は表4から選択される、3以上のペプチドを含む、請求項1〜17のいずれか1項記載の方法。
【請求項１９】
前記バイオマーカー群が、表2、表3、又は表4から選択される、3以上のペプチドを含む、請求項1〜18のいずれか1項記載の方法。
【請求項２０】
前記バイオマーカー群が、図5に示されるペプチドの組み合わせY1〜Y30の群から選択されるペプチドの組み合わせを含む、請求項1〜19のいずれか1項記載の方法。
【請求項２１】
前記バイオマーカー群が、図7に示されるペプチドの組み合わせY1〜Y30の群から選択されるペプチドの組み合わせを含む、請求項1〜19のいずれか1項記載の方法。
【請求項２２】
前記バイオマーカー群が、
【化１】
2016526167.tif 000001
を含む、請求項20記載の方法。
【請求項２３】
前記バイオマーカー群が、
【化２】
2016526167.tif 000002
を含む、請求項21記載の方法。
【請求項２４】
複合スコア「Y」が、参照対照ペプチドに対する各群の成員ペプチドの相対量に基づいて計算され；Yの増加した値が、アルツハイマー病、又はMCIの診断を示す、請求項14〜23のいずれか1項記載の方法。
【請求項２５】
前記複合スコア「Y」が、多項式モデル
【数１】
2016526167.tif 000003
に従って計算される、請求項24記載の方法。
【請求項２６】
> 0.5の総計スコア値が、前記対象がアルツハイマー病又はMCIを有することを示す、請求項24又は請求項25記載の方法。
【請求項２７】
請求項1〜26のいずれか1項記載の方法を実施する際に使用するためのキットであって、
(a) 表2、表3、又は表4から選択される2以上のペプチドに対応する2以上の合成ペプチド；
(b) 前記バイオマーカー群を形成する2以上のペプチドに特異的な2以上の抗体；又は
(c) 前記バイオマーカー群のうちの前記2以上のペプチドに特異的に結合することができる2以上の結合要素であって、任意に固体支持体に固定される、前記結合要素
を含む、前記キット。
【手続補正２】
【補正対象書類名】明細書
【補正対象項目名】０００７
【補正方法】変更
【補正の内容】
【０００７】
本発明者らは、組み合わせることで疾患、その進行及び予後の予測を向上する、複数のバイオマーカーを含む群を創出した。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
薬剤投与確認装置であって、
薬剤投与に関連した行為の特定のシーケンスを実行するようにユーザを促すための、１つ以上のインストラクションを表示するためのディスプレイと、
薬剤を投与するユーザの１つ以上のビデオシーケンスをキャプチャするためのビデオキャプチャデバイスと、を含み、キャプチャされているビデオの少なくとも一部は前記ディスプレイに表示され、且つ前記ビデオキャプチャデバイスによってキャプチャされた視野の部分は前記ディスプレイに表示され、
さらに、
キャプチャされた前記１つ以上のビデオシーケンスを格納するためのメモリと、
ユーザを代表する不審な行動の１つ以上の兆候を決定するよう、格納された前記ビデオシーケンスの少なくとも１つを分析するためのプロセッサと、を含む、薬剤投与確認装置。
【請求項２】
前記不審な行動の１つ以上の兆候は、前記ビデオキャプチャデバイスの視野を離れるユーザの顔、口に移動するユーザの手、および前記行為の特定のシーケンスのうちの１つ以上の行為を実行するユーザのタスクの際の時間の分析の結果の１つ以上を含む、請求項１に記載の薬剤投与確認装置。
【請求項３】
薬剤を投与するユーザの１つ以上のビデオシーケンスをキャプチャするためのオーディオキャプチャデバイスと、
キャプチャされた前記１つ以上のオーディオシーケンスを格納するためのメモリと、
ユーザを代表する不審な行動の１つ以上の兆候を決定するよう、格納された前記オーディオシーケンスの少なくとも１つを分析するためのプロセッサと、をさらに含む、請求項１または２に記載の薬剤投与確認装置。
【請求項４】
前記薬剤投与は、錠剤の摂取、溶解可能なフィルムの摂取、吸入器の作動、および注射可能な薬剤装置の作動の１つ以上を含む、請求項１から３のいずれか１項に記載の薬剤投与確認装置。
【請求項５】
薬剤投与を確認するための方法であって、
ビデオキャプチャデバイスによって、薬剤を投与するユーザの１つ以上のビデオシーケンスをキャプチャするステップと、
オーディオキャプチャデバイスによって、薬剤を投与するユーザの１つ以上のオーディオシーケンスのキャプチャするステップと、
キャプチャされた前記ビデオシーケンスおよびオーディオシーケンスの１つ以上を一時的でないメモリに格納するステップと、
前記ユーザを代表する不審な行動の１つ以上の徴候を決定するよう、１つ以上の格納された前記ビデオシーケンスおよびオーディオシーケンスの少なくとも１つを分析するステップと、
複数のユーザからの複数の格納されたビデオシーケンスおよびオーディオシーケンスから不審な行動の１つ以上の徴候を識別するステップと、
不審な行動の１つ以上の識別された前記徴候の１つ以上に関連付けられるフィルタを生成するステップと、
格納された前記ビデオシーケンスおよびオーディオシーケンスの少なくとも１つに前記フィルタを適用するステップと、を含む、方法。
【請求項６】
前記不審な行動の１つ以上の徴候は、前記ビデオキャプチャデバイスの視野から離れるユーザの顔と、口に移動するユーザの手と、錠剤が口の中にある際に咳をするユーザと、錠剤を吐き出すユーザとの群から選択される、請求項５に記載の方法。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
音場の空間成分を圧縮するときに使用されるべき量子化ステップサイズを決定することを備え、前記空間成分は、球面調和領域において定義され、複数の球面調和係数に関して分解を実行することによって生成される、
方法。
【請求項２】
前記量子化ステップサイズを決定することは、目標ビットレートに基づいて前記量子化ステップサイズを決定することを備える、
請求項１に記載の方法。
【請求項３】
前記複数の量子化ステップサイズのうちの１つを選択することは、
前記空間成分を表すために使用されるビットの数の推定値を決定することと、
前記推定値と目標ビットレートとの間の差に基づいて前記量子化ステップサイズを決定することと
を備える、請求項１に記載の方法。
【請求項４】
前記複数の量子化ステップサイズのうちの１つを選択することは、
前記空間成分を表すために使用されるビットの数の推定値を決定することと、
前記推定値と目標ビットレートとの間の差を決定することと、
前記差を前記目標ビットレートに加算することによって前記量子化ステップサイズを決定することと
を備える、請求項１に記載の方法。
【請求項５】
前記ビットの数の前記推定値を決定することは、
前記目標ビットレートに対応するコードブックを仮定して前記空間成分のために生成されるべき前記ビットの数の前記推定値を計算すること、または、
前記空間成分を圧縮するときに使用されるコーディングモードを仮定して前記空間成分のために生成されるべき前記ビットの数の前記推定値を計算すること
のいずれかを備える、請求項３に記載の方法。
【請求項６】
前記ビットの数の前記推定値を決定することは、
前記空間成分を圧縮するときに使用されるべき第１のコーディングモードを仮定して前記空間成分のために生成されるべき前記ビットの数の第１の推定値を計算することと、
前記空間成分を圧縮するときに使用されるべき第２のコーディングモードを仮定して前記空間成分のために生成されるべき前記ビットの数の第２の推定値を計算することと、
前記第１の推定値と前記第２の推定値のうちで、前記ビットの数の前記決定された推定値として使用されるべき、最も少ないビットを有するものを選択することと
を備える、請求項３に記載の方法。
【請求項７】
前記ビットの数の前記推定値を決定することは、
前記空間成分が対応するカテゴリを識別するカテゴリ識別子を識別することと、
前記カテゴリに対応する前記空間成分を圧縮するときに生じうる、前記空間成分の残差値のビット長を識別することと、
少なくとも一部、前記カテゴリ識別子を表すために使用されるビットの数を前記残差値の前記ビット長に加算することによって、前記ビットの数の前記推定値を決定することと
を備える、請求項３に記載の方法。
【請求項８】
音場の空間成分を圧縮するときに使用されるべき量子化ステップサイズを決定することを行うように構成される１つまたは複数のプロセッサを備え、前記空間成分は、球面調和領域において定義され、複数の球面調和係数に関して分解を実行することによって生成される、
デバイス。
【請求項９】
前記１つまたは複数のプロセッサは、目標ビットレートに基づいて前記量子化ステップサイズを決定することを行うように構成される、
請求項８に記載のデバイス。
【請求項１０】
前記１つまたは複数のプロセッサは、前記空間成分を表すために使用されるビットの数の推定値を決定することと、前記推定値と目標ビットレートとの間の差に基づいて前記量子化ステップサイズを決定することとを行うように構成される、
請求項８に記載のデバイス。
【請求項１１】
前記１つまたは複数のプロセッサは、前記空間成分を表すために使用されるビットの数の推定値を決定することと、前記推定値と目標ビットレートとの間の差を決定することと、前記差を前記目標ビットレートに加算することによって前記量子化ステップサイズを決定することとを行うように構成される、
請求項８に記載のデバイス。
【請求項１２】
前記１つまたは複数のプロセッサは、
前記目標ビットレートに対応するコードブックを仮定して前記空間成分のために生成されるべき前記ビットの数の前記推定値を計算すること、または、
前記空間成分を圧縮するときに使用されるコーディングモードを仮定して前記空間成分のために生成されるべき前記ビットの数の前記推定されたものを計算すること
のいずれかを行うように構成される、請求項１０に記載のデバイス。
【請求項１３】
前記１つまたは複数のプロセッサは、前記空間成分を圧縮するときに使用されるべき第１のコーディングモードを仮定して前記空間成分のために生成されるべき前記ビットの数の第１の推定値を計算することと、前記空間成分を圧縮するときに使用されるべき第２のコーディングモードを仮定して前記空間成分のために生成されるべき前記ビットの数の第２の推定値を計算することと、前記第１の推定値と前記第２の推定値のうちで、前記ビットの数の前記決定された推定値として使用されるべき、最も少ないビットを有するものを選択することを行うように構成される、
請求項１０に記載のデバイス。
【請求項１４】
前記１つまたは複数のプロセッサは、前記空間成分が対応するカテゴリを識別するカテゴリ識別子を識別することと、前記カテゴリに対応する前記空間成分を圧縮するときに生じうる、前記空間成分の残差値のビット長を識別することと、少なくとも一部、前記カテゴリ識別子を表すために使用されるビットの数を前記残差値の前記ビット長に加算することによって、前記ビットの数の前記推定値を決定することとを行うように構成される、
請求項１０に記載のデバイス。
【請求項１５】
実行されると、１つまたは複数のプロセッサに、
音場の空間成分を圧縮するときに使用されるべき量子化ステップサイズを決定することを行わせる命令を記憶しており、前記空間成分は、球面調和領域において定義され、複数の球面調和係数に関して分解を実行することによって生成される、
非一時的コンピュータ可読記憶媒体。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
モバイルデバイス中でまたはモバイルデバイスを用いて使用する、ロケーションコンテキスト識別子（ＬＣＩ）を決定するために圧力プロファイルを利用するための方法であって、
前記モバイルデバイスにおいて、サーバから第１のＬＣＩを介して識別されたエリアにおける複数の所定のロケーションを定義する無線ヒートマップを備える測位支援データを取得すること、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定することと、
前記圧力プロファイルを形成する前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのための第２のＬＣＩを選択することと、
前記モバイルデバイスに関するさらなる測位支援データを取得するために前記選択された第２のＬＣＩを使用することと
を備える、方法。
【請求項２】
前記少なくとも１つの信号パターンマッチング動作は、前記第１のＬＣＩに関して決定された複数の候補信号パターンの中から信号パターンを選択することに少なくとも部分的に基づく、
請求項１に記載の方法。
【請求項３】
前記複数の候補信号パターンの中から前記信号パターンを前記選択することは、最も近い信号パターンマッチングを決定するために、前記１つまたは複数の気圧測定値を介して測定された前記高度と、前記１つまたは複数の予測された高度値を比較することを備える、
請求項２に記載の方法。
【請求項４】
前記基準高度値は、衛星測位システム（ＳＰＳ）を介して取得された最近のポジションフィックス、ワイヤレス信号と気圧測定値との組み合わせ、ユーザ入力、またはそれらの任意の組み合わせのうちの少なくとも１つに少なくとも部分的に基づいて決定される、
請求項１に記載の方法。
【請求項５】
前記モバイルデバイスのための第２のＬＣＩを前記選択することは、前記ロケーションは、時間インターバルを通じて取得された前記１つまたは複数の気圧測定値を介して測定された前記高度の履歴に少なくとも部分的に基づいて推定される、
請求項１に記載の方法。
【請求項６】
前記１つまたは複数の気圧測定値を介して測定された前記高度の前記履歴は、前記エリア内の前記複数の所定のロケーションに関する前記圧力プロファイルを備える、
請求項５に記載の方法。
【請求項７】
前記１つまたは複数の気圧測定値を介して測定された前記高度の前記履歴は、前記エリア内で前記モバイルデバイスのユーザが移動する間に取得される、
請求項５に記載の方法。
【請求項８】
前記無線ヒートマップは、前記所定のロケーションにおける予測された受信信号強度値、前記所定のロケーションにおける予測された往復時間値、またはそれらの任意の組み合わせのうちの少なくとも１つをさらに備える、
請求項１に記載の方法。
【請求項９】
前記少なくとも１つの信号パターンマッチング動作は、前記モバイルデバイスの粗のロケーションの決定に応答して実行される、
請求項１に記載の方法。
【請求項１０】
前記モバイルデバイスの前記粗のロケーションの前記決定に応答して実行された前記少なくとも１つの信号パターンマッチング動作は、前記第１のＬＣＩに関して決定された、かつデータベースに記憶された信号パターンのサブセットから信号パターンを選択することに少なくとも部分的に基づく、
請求項９に記載の方法。
【請求項１１】
前記１つまたは複数の予測された高度値は、前記無線ヒートマップと組み合わせて、または前記無線ヒートマップの一部として提供される、
請求項１に記載の方法。
【請求項１２】
モバイルデバイス中でまたはモバイルデバイスを用いて使用する、ロケーションコンテキスト識別子（ＬＣＩ）を決定するために圧力プロファイルを利用するための装置であって、
前記モバイルデバイスにおいて、サーバから第１のロケーションコンテキスト識別子（ＬＣＩ）を介して識別されたエリアにおける複数の所定のロケーションを定義する無線ヒートマップを備える測位支援データを取得するための手段、ここにおいて前記無線ヒートマップは、前記エリア内の基準高度値に対する前記所定のロケーションの少なくともいくつかに関する１つまたは複数の予測された高度値を備える、と、
前記モバイルデバイスの気圧センサを介して取得された１つまたは複数の気圧測定値に少なくとも部分的に基づいて、前記基準高度値に対する前記モバイルデバイスの高度を測定するための手段と、
前記圧力プロファイルを形成する前記１つまたは複数の気圧測定値を介して測定された前記高度および前記１つまたは複数の予測された高度値に関する少なくとも１つの信号パターンマッチング動作に少なくとも部分的に基づいて、前記モバイルデバイスのための第２のＬＣＩを選択するための手段と、
前記モバイルデバイスに関するさらなる測位支援データを取得するために前記選択された第２のＬＣＩを使用するための手段と
を備える、装置。
【請求項１３】
前記モバイルデバイスのための第２のＬＣＩを選択するための前記手段は、前記第１のＬＣＩに関して決定された複数の候補信号パターンの中から信号パターンを選択するための手段をさらに備える、
請求項１２に記載の装置。
【請求項１４】
請求項１乃至１１のうちのいずれか１項に記載のステップを行うように専用コンピューティングプラットフォームによって実行可能である命令を記憶した非一時的な記憶媒体を備える、製品。
【請求項１５】
モバイルデバイス中でまたはモバイルデバイスを用いて使用する、ロケーションコンテキスト識別子（ＬＣＩ）を決定するために圧力プロファイルを利用するための方法であって、
前記モバイルデバイスで、サーバから第１のＬＣＩを介して識別されたエリアにおける複数の所定のロケーションを定義する無線ヒートマップを備える測位支援データを取得すること、ここにおいて前記無線ヒートマップは、前記エリア内の基準気圧値に対する前記所定のロケーションの少なくともいくつかに関する１つまたは複数の予測された気圧値を備える、と、
前記モバイルデバイスの気圧センサを介して、前記基準気圧値に対する前記モバイルデバイスの１つまたは複数の気圧測定値を測定することと、
前記気圧センサを介して測定され、前記圧力プロファイルを形成する前記モバイルデバイスの前記気圧測定値および前記１つまたは複数の予測された気圧値に関する少なくとも１つの信号パターンマッチング動作に少なくとも部分的に基づいて、前記モバイルデバイスのための第２のＬＣＩを選択することと、
前記モバイルデバイスに関するさらなる測位支援データを取得するために前記選択された第２のＬＣＩを使用することと
を備える、方法。